(57)【要約】【課題】専用の接続部品を用いることなく、１個の電源プラグを複数規格のコンセントに接続すること。【解決手段】一対の差し込み用導体部を筐体前面に植接した大型の電源プラグの前記筐体内部に取り出し自在に小型の電源プラグを収納し、大型の電源プラグがコンセントの規格に合わない時は、小型の電源プラグを前記筐体前面の前方に引き出し、この小型の電源プラグを前記コンセントに接続して用いる。【選択図】　図１
2004055228.tif 000002
【特許請求の範囲】
【請求項１】
一対の差し込み用導体部を筐体前面に植接した電源プラグにおいて、
前記筐体の内部に引き出し自在に収納される小型の電源プラグを、
具備することを特徴とする電源プラグ。
【請求項２】
前記小型の電源プラグは筐体前面の前方で前記一対の差し込み用導体部の内側に取り出されることを特徴とする請求項１に記載の電源プラグ。
【請求項３】
前記小型の電源プラグの筐体前面に植接されている一対の差し込み用導体部の間隔を変化させて調整する機構を具備することを特徴とする請求項１又は２に記載の電源プラグ。
【発明の詳細な説明】
【０００１】
【発明の属する技術分野】
本発明は、ワールドワイドに使用される電気機器の電源コードに取り付けられている電源プラグに関する。
【０００２】
【従来の技術】
従来よりワールドワイドに使用される充電器やＡＣアダプタ等の電気機器の電源コードに取り付けてある電源プラグは、特定の国や地域の規格で製造されている。従って、国や地域によってコンセントの形状が異なるため、例えば日本の規格の電源プラグをそのままではヨーロッパのコンセントに接続することができず、そのような場合は専用の接続部品を介して接続しなければならなかった。
【０００３】
【発明が解決しようとする課題】
上記のようにワールドワイドに使用される電気機器の電源コードに取り付けられている電源プラグを各国で使用するにはその国のコンセントに接続するための専用の接続部品が必要であり、この専用の接続部品を持ち合わせていないと、電源プラグをコンセントに接続することができず、持って行った充電器やＡＣアダプタ等を使用できないという問題があった。
【０００４】
そこで本発明は上記のような課題を解決するためになされたもので、専用の接続部品を用いることなく、複数規格のコンセントに接続することができる電源プラグを提供することを目的としている。
【０００５】
【課題を解決するための手段】
本発明の課題を解決する請求項１の発明は、一対の差し込み用導体部を筐体前面に植接した電源プラグにおいて、前記筐体の内部に引き出し自在に収納される小型の電源プラグを具備することを特徴とする。
【０００６】
上記発明によれば、電源プラグの一対の差し込み用導体部の規格がコンセントの挿入口の規格に合わない時、内部に収納されている小型の電源プラグを引き出して、前記コンセントに接続する。
【０００７】
請求項２の発明は、前記請求項１において、前記小型の電源プラグは筐体前面の前方で前記一対の差し込み用導体部の内側に取り出されることを特徴とする。
【０００８】
上記発明によれば、小型の電源プラグをそれを収納する電源プラグの差し込み用導体部に邪魔されずに円滑に出し入れすることができる。
【０００９】
請求項３の発明は、前記請求項１又は２において、前記小型の電源プラグの筐体前面に植接されている一対の差し込み用導体部の間隔を変化させて調整する機構を具備することを特徴とする。
【００１０】
上記発明によれば、引き出して用いる小型の電源プラグの筐体前面に植接されている一対の差し込み用導体部の幅をコンセントの挿入口の幅に合わせて使用する。
【００１１】
【発明の実施の形態】
以下、本発明の実施の形態を図面を参照して説明する。図１は本発明の第１の実施の形態に係わる電源プラグの構成例を示した平面図である。
【００１２】
この電源プラグ１は差し込み型であり、コンセントに差し込む一対の差し込み用導体部２が筐体３の先端面に植接されている。この電源プラグ１の筐体３の内部にはもう一つの小型の電源プラグ４が引き出し自在に収納されている。また、電源プラグ１の筐体３には電源プラグ４のスライド方向と直角方向に移動するストッパー７が設けられている。
【００１３】
小型の電源プラグ４も差し込み型であり、電源プラグ４の筐体５の先端面にコンセントに差し込む一対の差し込み用導体部６が植接されている。
【００１４】
次に本実施の形態の使用方法について説明する。電源プラグ１の一対の差し込み用導体部２の幅にコンセントの挿入部の幅が合っている場合（例えばヨーロッパ等で使用する場合）は、図１の状態で電源プラグ１の差し込み用導体部２をコンセントの挿入口に差し込んで接続する。
【００１５】
ところが、電源プラグ１の一対の差し込み用導体部２の幅にコンセントの挿入口の幅が合っていない場合（例えば日本等で使用する場合）、図２に示すように、電源プラグ１の内部から小型の電源プラグ４を引き出すと共に、ストッパー７を押し込んで電源プラグ４をロックする。こうしておいて、電源プラグ４の一対の差し込み用導体部６をコンセントの挿入口に差し込んで接続する。
【００１６】
尚、ストッパー７を引き抜いてから電源プラグ４を筐体３内に格納すれば図１の状態に容易に戻すことができる。
【００１７】
本実施の形態によれば、幅広の差し込み用導体部２を有する電源プラグ１の内部に幅狭の差し込み用導体部６を有する小型の電源プラグ４を引き出し自在に収納した構成とし、コンセントの形状によって電源プラグ１或いは電源プラグ４を用いることができるようにしたため、本例の電源プラグ１（又は４）は専用の接続部品を用いることなく、２規格のコンセントに接続することができる。従って、この電源プラグをワールドワイドで使用する電気機器の電源コードに取り付けてその利便性を高めることができる。
【００１８】
尚、図３に示すような連動のスイッチＳＷ１、ＳＷ２をストッパー７の側に設置して、ストッパー７を押し込んで電源プラグ４をロックした時は端子ｂ側に切り替わって、電源プラグ４の差し込み用導体部６を図示されない電源コードに接続するようにすれば、電源プラグ４を用いている時は、電源プラグ１の差し込み用導体部２側は電気的にコンセントと遮断されるため、感電などの心配を排除することができる。逆に、ストッパー７を引き出して電源プラグ４のロックを解除した時は、スイッチＳＷ１、ＳＷ２は端子ａ側に切り替わって、電源プラグ１の差し込み用導体部２が図示されない電源コードに接続される。
【００１９】
図４は本発明の第２の実施の形態に係わる電源プラグの構成例を示した平面図である。但し、図１に示した第１の実施の形態と同様の部分には同一符号を付して説明する。本例も、電源プラグ１の内部にスライド可能に小型の電源プラグ４を収納する構成を有している。図４は、電源プラグ１から電源プラグ４を引き出し、ストッパー（図示せず）を押し込んでロックした状態である。この状態から電源プラグ４の筐体５の先端部の側面にスライド自在に収納してあるスライド部５ａを図５に示すように横方向に引き出して、このスライド部５ａに植接されている差し込み導体部６を広げて使用する。
【００２０】
次に本実施の形態の使用方法について説明する。電源プラグ１の規格とコンセントの規格が異なる場合、電源プラグ４を図３に示すように電源プラグ１内から引き出し、更に、図２に示すようにスライド部５ａを横に引き出して、差し込み用導体部６の幅をコンセントに挿入口に合うように調節して使用する。従って、電源プラグ４の筐体５の先端には図４に示すように、スライド部５ａの移動と共に差し込み用導体部６が移動できるように溝５ｂが切ってある。
【００２１】
本実施の形態によれば、幅広の差し込み用導体部２を有する電源プラグ１の中に幅狭の差し込み用導体部６を有する電源プラグ４を引き出し自在に収納した構成とし、更に、電源プラグ４を引き出した状態で、その筐体５の先端に配置されているスライド部５ａを横に引き出すことにより、差し込み用導体部６の幅をコンセントの挿入口の幅に合わせて使用できるため、場合によっては３規格以上のコンセントに接続することができる。従って、この電源プラグをワールドワイドで使用する電気機器の電源コードに取り付けてその利便性を高めることができる。
【００２２】
尚、本発明は上記実施の形態に限定されることなく、その要旨を逸脱しない範囲において、具体的な構成、機能、作用、効果において、他の種々の形態によっても実施することができる。
【００２３】
【発明の効果】
以上記述した如く本発明の電源プラグによれば、電源プラグの筐体部分に小型の電源プラグを引き出し自在に収納することにより、専用の接続部品を用いることなく、複数規格のコンセントに接続することができ、この電源プラグをワールドワイドで使用する電気機器の電源コードに取り付けてその利便性を高めることができる。
【図面の簡単な説明】
【図１】本発明の第１の実施の形態に係わる電源プラグの構成例を示した平面図である。
【図２】図１に示した電源プラグから内蔵の小型の電源プラグを引き出した状態を示した平面図である。
【図３】図１に示した電源プラグに内蔵したスイッチ部の構成を示した回路図である。
【図４】本発明の第２の実施の形態に係わる電源プラグの構成例を示した平面図である。
【図５】図４に示した電源プラグから内蔵の小型の電源プラグを引き出し、更に差し込み用導体部を広げた状態を示した平面図である。
【図６】図４に示した小型の電源プラグの正面図である。
【符号の説明】
１、４　電源プラグ
２、６　差し込み用導体部
３、５　筐体
５ａ　スライド部
５ｂ　溝
７　ストッパー
【図１】
2004055228.tif 000003
【図２】
2004055228.tif 000004
【図３】
2004055228.tif 000005
【図４】
2004055228.tif 000006
【図５】
2004055228.tif 000007
【図６】
2004055228.tif 000008